(57)【要約】【課題】  壁パネルどうしを連結した一連の壁にあって、該壁が、壁面に垂直な方向に働く力により面外変形して壁パネルの連結部において破断を引き起こすのを防止することができる壁パネルの連結構造を提供する。【解決手段】  本発明の壁パネルの連結構造は、第１および第２の壁パネルＷ１、Ｗ２の端辺が突き合わされた状態で、長手方向において、第１および第２の壁パネルＷ１、Ｗ２を引き寄せて締結する第１の締結手段１と、第１および第２の壁パネルＷ１、Ｗ２の端辺が突き合わされた状態で、該第１および第２の壁パネルＷ１、Ｗ２の厚さ方向において、第１の突出部Ｗ１１と第２の突出部Ｗ２１とを引き寄せて締結する第２の締結手段２と、を備えているものである。【選択図】図３
2011256653.tif 000002
【特許請求の範囲】
【請求項１】
隣り合う壁パネルの端辺どうしを突き合わせて該壁パネルを壁面方向に延伸するように連結し、一連の壁を形成する壁パネルの連結構造であって、
連結する壁パネルは、第１の壁パネルと第２の壁パネルであり、
第１の壁パネルの端辺には、第１の突出部と第１の受入部とが設けられ、
第２の壁パネルの端辺には、第２の突出部と第２の受入部とが設けられ、
前記第１の突出部は、前記第２の受入部に受け入れられると共に、前記第２の突出部は前記第１の受入部に受け入れられるものであり、
前記第１および第２の壁パネルの端辺が突き合わされた状態で、前記壁面方向に沿って、前記第１および第２の壁パネルを引き寄せて締結する第１の締結手段と、
前記第１および第２の壁パネルの端辺が突き合わされた状態で、該第１および第２の壁パネルの厚さ方向に沿って、前記第１の突出部と前記第２の突出部とを引き寄せて締結する第２の締結手段と、を備えていることを特徴とする壁パネルの連結構造。
【請求項２】
第２の締結手段は、
第１の突出部を第１の壁パネルの厚さ方向に貫通する貫通孔と、
第２の突出部に設けられ、前記第１および第２の壁パネルの端辺が突き合わされた状態で、前記貫通孔に臨むように形成された雌ねじ部と、
前記第１の突出部の外側部から前記貫通孔を介して前記雌ねじ部に螺合し、前記外側部に着座する座面を有する有頭雄ねじ部材と、により構成されていることを特徴とする請求項１記載の壁パネルの連結構造。
【請求項３】
壁パネルは、箱形形状の貯水槽の側壁であり、突き合わされる第１の壁パネルと第２の壁パネルとの間には、パッキンが介在していることを特徴とする請求項１または２記載の壁パネルの連結構造。
【発明の詳細な説明】
【技術分野】
【０００１】
本発明は、隣り合う壁パネルの端辺どうしを突き合わせて該壁パネルを壁面方向に延伸するように連結し、一連の壁を形成する壁パネルの連結構造に係り、特に、貯水槽など、内部に圧力がかかるような槽の槽壁に用いられるものに関する。
【背景技術】
【０００２】
従来、蓄熱槽のような貯水槽の槽壁に用いられる壁部材にあっては、貯水量など多様な槽の大きさに対応するため、あらかじめ決められた寸法の壁パネルを用い、この壁パネルを単独で、または、所望の寸法となるように連結して構築していた。
【０００３】
そして、連結タイプの壁パネルの場合には、その連結は、例えば、図１０に示したように、平面状の端部を有する壁パネルＷ’、Ｗ’どうしを突き合わせ、その間にパッキン３’を挟み込み、貯水槽外に設けられた取付部材１０’を介してボルト・ナット１１’、１２’などの締結手段１’により、壁パネルＷ’、Ｗ’どうしを互いに引き寄せて水密状態となるように連結していた（例えば、非特許文献１の第６頁参照）。
【先行技術文献】
【非特許文献】
【０００４】
【非特許文献１】株式会社ブリジストン、ＦＲＰパネル蓄熱槽「エネストック」製品カタログ、改０９１２  １５００Ａ
【発明の概要】
【発明が解決しようとする課題】
【０００５】
しかしながら、上述したような壁パネルの連結構造にあっては、単に壁パネルどうしを引き寄せて連結するものであり、壁面方向における接合強度は比較的強いものの、壁面に垂直な方向に働く力には脆弱であり、例えば、貯水槽内の水圧が上昇した場合、壁パネルが貯水槽の外側方向に向かって面外変形（膨出）してしまい、特に壁パネルの連結部において破断、漏水を引き起こし易いという問題点があった。
【０００６】
本発明は、上述した問題点を解決するためになされたものである。
【課題を解決するための手段】
【０００７】
請求項１に係る発明は、隣り合う壁パネルの端辺どうしを突き合わせて該壁パネルを壁面方向に延伸するように連結し、一連の壁を形成する壁パネルの連結構造であって、連結する壁パネルは、第１の壁パネルと第２の壁パネルであり、第１の壁パネルの端辺には、第１の突出部と第１の受入部とが設けられ、第２の壁パネルの端辺には、第２の突出部と第２の受入部とが設けられ、前記第１の突出部は、前記第２の受入部に受け入れられると共に、前記第２の突出部は前記第１の受入部に受け入れられるものであり、前記第１および第２の壁パネルの端辺が突き合わされた状態で、前記壁面方向に沿って、前記第１および第２の壁パネルを引き寄せて締結する第１の締結手段と、前記第１および第２の壁パネルの端辺が突き合わされた状態で、該第１および第２の壁パネルの厚さ方向に沿って、前記第１の突出部と前記第２の突出部とを引き寄せて締結する第２の締結手段と、を備えている壁パネルの連結構造である。
【０００８】
請求項２に係る発明は、請求項１記載の壁パネルの連結構造におけて、第２の締結手段は、第１の突出部を第１の壁パネルの厚さ方向に貫通する貫通孔と、第２の突出部に設けられ、前記第１および第２の壁パネルの端辺が突き合わされた状態で、前記貫通孔に臨むように形成された雌ねじ部と、前記第１の突出部の外側部から前記貫通孔を介して前記雌ねじ部に螺合し、前記外側部に着座する座面を有する有頭雄ねじ部材と、により構成されているものである。
【０００９】
請求項３に係る発明は、請求項１または２記載の壁パネルの連結構造において、壁パネルは、箱形形状の貯水槽の側壁であり、突き合わされる第１の壁パネルと第２の壁パネルとの間には、パッキンが介在しているものである。
【発明の効果】
【００１０】
請求項１に記載の壁パネルの連結構造によれば、第１および第２の壁パネルの端辺が突き合わされた状態で、壁面方向に沿って、前記第１および第２の壁パネルを引き寄せて締結する第１の締結手段と、前記第１および第２の壁パネルの端辺が突き合わされた状態で、該第１および第２の壁パネルの厚さ方向に沿って、第１の突出部と第２の突出部とを引き寄せて締結する第２の締結手段と、を備えているため、第１および第２の壁パネルの壁面方向の引っ張り接合強度を高めるのみならず、壁面に垂直な方向の押圧強度を高めることができ、壁パネルどうしを強固に連結することができる。
【００１１】
請求項２に記載の発明によれば、請求項１記載の壁パネルの連結構造の効果に加え、第２の締結手段は、第１の突出部を第１の壁パネルの厚さ方向に貫通する貫通孔と、第２の突出部に設けられ、前記第１および第２の壁パネルの端辺が突き合わされた状態で、前記貫通孔に臨むように形成された雌ねじ部と、前記第１の突出部の外側部から前記貫通孔を介して前記雌ねじ部に螺合し、前記外側部に着座する座面を有する有頭雄ねじ部材と、により構成されているため、簡易な構成で第１および第２の壁パネルの厚さ方向の押圧強度を高めることができる。
【００１２】
請求項３に記載の発明によれば、請求項１または２記載の壁パネルの連結構造の効果に加え、壁パネルは、箱形形状の貯水槽の側壁であり、突き合わされる第１の壁パネルと第２の壁パネルとの間には、パッキンが介在しているため、連結部からの漏水を効果的に防ぐことができ、しかも、貯水槽内の水圧が高くなったとしても、該連結部が貯水槽外側方向に膨出して破断するのを防止することができる。
【図面の簡単な説明】
【００１３】
【図１】本発明の壁パネルの連結構造を用いた貯水槽の概略的斜視図である。
【図２】図１のＫ部を拡大して示した概略的正面図である。
【図３】本発明の要部を示した図であり、図２のＸ−Ｘ線で切断した概略的断面図である。
【図４】第１の壁パネルと第２の壁パネルの構成を説明するための概略的断面図である。
【図５】本発明の壁パネルの連結構造における壁パネルの連結過程について示した概略的断面図である。
【図６】本発明の壁パネルの連結構造における壁パネルの連結過程について示した概略的断面図である。
【図７】本発明の壁パネルの連結構造における壁パネルの連結過程について示した概略的断面図である。
【図８】本発明の壁パネルの連結構造における壁パネルの連結過程について示した概略的断面図である。
【図９】図３の変形例を示した概略的断面図である。
【図１０】従来の壁パネルの連結構造を説明するための概略的断面図である。
【発明を実施するための形態】
【００１４】
本発明の一実施例を、図１〜図４を参照して説明する。図１において、Ｔは、本発明の壁パネルの連結構造を、箱形形状の蓄熱用の貯水槽の側壁に適用した例であり、図２は、図１の貯水槽ＴのＫ部を拡大して示した概略的正面図を、図３は、図２のＸ−Ｘ線で切断した概略的断面図を、それぞれ示している。なお、各図において、Ｗは壁パネルを示している。
【００１５】
壁パネルの連結構造は、図３に示したように、隣り合う壁パネルＷ、Ｗの端辺どうしを突き合わせて該壁パネルＷを壁面方向に延伸するように連結し、一連の壁を形成するもので、概略的に、壁パネルＷと、第１の締結手段１と、第２の締結手段２とにより構成されている。
【００１６】
連結する壁パネルＷ、Ｗは、第１の壁パネルＷ１と第２の壁パネルＷ２であり（以下、連結する壁パネルＷ、Ｗを、「第１の壁パネルＷ１」、「第２の壁パネルＷ２」という）、第１の壁パネルＷ１の端辺には、図４に示したように、第１の突出部Ｗ１１と第１の受入部Ｗ１２とが設けられ、第２の壁パネルＷ２の端辺には、第２の突出部Ｗ２１と第２の受入部Ｗ２２とが設けられている。
【００１７】
ここで、第１の突出部Ｗ１１は、第２の受入部Ｗ２２に受け入れられると共に、第２の突出部Ｗ２１は第１の受入部Ｗ１２に受け入れられるものである。具体的には、図４に示したように、第１および第２の突出部Ｗ１１、Ｗ２１は、断面コ字状であり、第１および第２の受入部Ｗ１２、Ｗ２２は、それぞれ第１および第２の突出部Ｗ１１、Ｗ２１に対応した断面Ｌ字状の空間で構成されている。なお、第１および第２の突出部Ｗ１１、Ｗ２１の厚さは、壁パネルＷの厚さの約半分である。
【００１８】
この第１および第２の突出部Ｗ１１、Ｗ２１、並びに、第１および第２の受入部Ｗ１２、Ｗ２２は、端部が平面形状の板部材の該端部を印籠決りして形成したり、同図に示したように、予めこれら突出部Ｗ１１、Ｗ２１、および、受入部Ｗ１２、Ｗ２２の外形となるように成形された枠体８（耐食性を有するステンレス鋼等の金属や耐熱性塩化ビニル樹脂等のプラスチック材料などで形成）の内部に、例えば、ウレタンフォームなどの強化プラスチック（ＦＲＰ）や無機質材などが充填されている。
【００１９】
第１の締結手段１は、第１および第２の壁パネルＷ１、Ｗ２の端辺が突き合わされた状態で、壁面方向に沿って、第１および第２の壁パネルＷ１、Ｗ２を引き寄せて締結するもので、例えば、図３に示したように、壁パネルＷ１、Ｗ２のそれぞれの側面端部に取付部材１０、１０が取り付けられ、これら取付部材１０、１０がボルト・ナット１１、１２により緊締され、壁パネルＷ１、Ｗ２どうしが引き寄せられて締結されている。取付部材１０は、例えば、Ｌ字鋼（アングル鋼）や溝形鋼（チャンネル鋼）などである（図３では、Ｌ字鋼（アングル鋼）を例示）。
【００２０】
第２の締結手段２は、
第１および第２の壁パネルＷ１、Ｗ２の端辺が突き合わされた状態で、該第１および第２の壁パネルＷ１、Ｗ２の厚さ方向（壁面に垂直な方向）に沿って、第１の突出部Ｗ１１と第２の突出部Ｗ２１とを引き寄せて締結するもので、例えば、図３に示したように、第１の突出部Ｗ１１を第１の壁パネルＷ１の厚さ方向に貫通する貫通孔２３と、第２の突出部Ｗ２１に設けられ、第１および第２の壁パネルＷ１、Ｗ２の端辺が突き合わされた状態で、貫通孔２３に臨むように形成された雌ねじ部２２と、第１の突出部Ｗ１１の外側部から貫通孔２３を介して雌ねじ部２３に螺合し、外側部（第１の壁パネルＷ１の第１の締結手段１側の部位）に着座する座面を有する有頭雄ねじ部材２１（例えば、ボルト）と、により構成されている。
【００２１】
なお、連結部における水密性を向上させる場合にあっては、同図に示したように、パッキン３を、突き合わされる第１の壁パネルＷ１と第２の壁パネルＷ２との間に介在させるようにしてもよい。このパッキン３には、例えば、エチレンプロピレンゴム（ＥＰＴゴム）、シリコーンゴムなどが用いられる。
【００２２】
次に、上述した実施例のように構成される壁パネルの連結構造にあって、壁パネルどうしの連結方法について、図５〜図８を参照して説明する。なお、以下に説明する壁パネルの連結構造は、突き合わされる第１および第２の壁パネルＷ１、Ｗ２の間にパッキン３を介在させたものであり、また、雌ねじ部２２は、枠体８内にナットが埋設された構成の例である。
【００２３】
まず、図５に示したように、第２の壁パネルＷ２の側面端部（貯水槽Ｔの外側面側の端部）に取付部材１０であるＬ字鋼をボルト１３により取り付け、パッキン３を間に介在させて第１の壁パネルＷ１の端辺と第２の壁パネルＷ２の端辺とを突き合わせる。
【００２４】
そして、図６に示したように、第１の壁パネルＷ１の側面端部に取付部材１０であるＬ字鋼を、該Ｌ字鋼の平面部が前述の第２の壁パネルＷ２に取り付けられたＬ字鋼（取付部材１０）の平面部に対応するように配置し、これらＬ字鋼どうしをボルト１１およびナット１２を用いて弱く仮締めする。
【００２５】
そして、ボルト１１およびナット１２を仮締めした状態で、図７に示したように、第２の締結手段２を作用させる、すなわち、有頭雄ねじ部材２１を貫通孔２３に挿通し、第２の壁パネルＷ２の雌ねじ部２２のナットに螺合させ、この有頭雄ねじ部材２１と前述のボルト・ナット１１、１２とを交互に締め上げて徐々に緊締するもので（図８参照）、締め上げる過程においてパッキン３が第１の壁パネルＷ１と第２の壁パネルＷ２との隙間をうめ、最終的に両者の連結部が水密状態となる（図３参照）。
【００２６】
ところで、上述した実施例にあっては、図２に示したように、第１の締結手段１と第２の締結手段２とを上下方向に沿って交互に配置する例について示したが、第１の締結手段１と第２の締結手段２とが正面視水平方向に並んで位置するように配置してもよい（不図示）。
【００２７】
また、上述した実施例にあっては、第１の壁パネルＷ１と第２の壁パネルＷ２と間の全体に亘ってパッキン３を設ける例について示したが、水密状態が保たれるのであれば、図９に示したように、第１の壁パネルＷ１と第２の壁パネルＷ２と間の一部に設けるようにしたり、図示していないが、パッキン３を設けなくてもよい。
【００２８】
さらに、上述した実施例にあっては、第１の壁パネルＷ１と第２の壁パネルＷ２とを水平方向に連結する例について示したが、これに限らず、第１の壁パネルＷ１と第２の壁パネルＷ２とを、例えば、垂直方向に連結するようにしてもよい。
【符号の説明】
【００２９】
Ｗ      壁パネル
Ｗ１    第１の壁パネル
Ｗ２    第２の壁パネル
Ｗ１１  第１の突出部
Ｗ１２  第１の受入部
Ｗ２１  第２の突出部
Ｗ２２  第２の受入部
１      第１の締結手段
２      第２の締結手段２
２１    有頭雄ねじ部材
２２    雌ねじ部
２３    貫通孔
３      パッキン
【図１】
2011256653.tif 000003
【図２】
2011256653.tif 000004
【図３】
2011256653.tif 000005
【図４】
2011256653.tif 000006
【図５】
2011256653.tif 000007
【図６】
2011256653.tif 000008
【図７】
2011256653.tif 000009
【図８】
2011256653.tif 000010
【図９】
2011256653.tif 000011
【図１０】
2011256653.tif 000012